(57)【要約】【課題】実際の商品を手に取ることができないネットショッピングにおいて、購入理由のために最適な商品の組み合わせを提案できるようにする。【解決手段】  商品のグループ化をユーザ自身で提案できるようにして、その商品グループ毎に商品コードを付与し、当該商品グループが別のユーザによって購入選択されたときは提案したユーザにインセンティブが与えられるようにして、ネットショッピングにおける購買活動を活性化する。【選択図】図５
2008165505.tif 000002
【特許請求の範囲】
【請求項１】
ネットワークを介したサーバのデータベースに登録された商品に基づいて生成された商
品リストをユーザ端末にダウンロード表示して購入操作を行う商品購入システムであって
、
前記サーバのデータベースにおいて、少なくとも商品コードと価格が関連付けられた商
品マスタと、
特定のユーザが任意に選択した商品群をグループ商品として登録するために、個々の商
品コードと、合計価格と、前記特定のユーザが商品群を構成する商品の選択を完了したと
きに当該商品群に対して新たに付与される単一のグループ商品コードとが関連付けられた
グループ商品テーブルとを有しており、
前記サーバは、前記グループ商品テーブルが生成されると、当該グループ商品テーブル
からグループ商品コードを読み出して、前記商品マスタの商品コードの１つとして前記グ
ループ商品コードを登録して前記商品リストに表示される商品コードとしてグループ商品
の指定を可能とし、
前記サーバは、前記ユーザ端末よりネットワークを介して前記グループ商品コードが購
入商品として指定されたときは、前記グループ商品コードに対応付けられた個々の商品コ
ードを索出して当該商品コードに対して発注処理を行うグループ商品購入システム。
【請求項２】
前記サーバは、グループ商品テーブルが生成されたときに、前記商品コードの１つとし
て前記グループ商品コードを商品マスタに登録する際に、当該グループを構成する商品の
商品コードを前記グループ商品コードと関連付けてマスタに登録する請求項１記載のグル
ープ商品購入システム。
【請求項３】
前記商品マスタには商品コード毎に構成商品のカテゴリや関連語がタギング情報として
前記商品コードに関連付けられて登録されている請求項１または２記載のグループ商品購
入システム。
【請求項４】
前記サーバのマスタには、前記グループ商品コードとともに、当該グループ商品を提案
した提案者を特定する提案者ＩＤが関連付けられいるとともに、
グループ商品コードに対応した販売実績データベースと、提案者ＩＤとポイントを関連
付けて管理する提案者データベースとを有しており、
前記サーバは、前記販売実績データベースを参照して、販売実績に応じて決定されたポ
イントを提案者データベースに追加登録する請求項１記載のグループ商品購入システム。
【請求項５】
ネットワークを介したサーバのデータベースに登録された商品に基づいて生成された商
品リストをユーザ端末にダウンロード表示して購入操作を行う商品購入システムであって
、
前記サーバのデータベースにおいて、少なくとも商品コードと当該商品の梱包時に空間
を専有する容積を示す個別の商品容積パラメータと価格とが関連付けられた商品マスタと
、配送資材のコード（配送コード）と当該梱包資材の最大の梱包容積パラメータとが関連
付けられた梱包資材マスタとを有しており、
前記サーバは、ネットワークを介してユーザ端末から商品コードが購入商品として指定
されたときに、前記梱包資材マスタから梱包資材の梱包容積パラメータを読み出して、前
記商品マスタから前記購入商品の商品容積パラメータを読み出して、前記梱包容積パラメ
ータから前記商品容積パラメータを減算して当該梱包資材における空き容量を算出して当
該空き容量を視覚的に認識可能な図形データに変換してネットワークを介してユーザ端末
にダウンロード・表示させる商品購入システム。
【請求項６】
前記サーバは、ネットワークを介してユーザ端末からさらに商品コードが購入商品とし
て追加指定されたときに、前記商品マスタから前記追加指定された購入商品の商品容積パ
ラメータを読み出して、前記で減算された梱包容積パラメータからさらに当該追加商品の
商品容積パラメータを減算して当該梱包資材における空き容量を算出して当該空き容量を
視覚的に認識可能な図形データに変換してネットワークを介してユーザ端末にダウンロー
ド・表示させる請求項５記載の商品購入システム。
【請求項７】
ネットワークを介したサーバのデータベースに登録された商品に基づいて生成された商
品リストをグループ商品を提案するためのユーザ端末にダウンロード表示させて商品選択
操作を行わせるグループ商品選択システムであって、
前記サーバのデータベースにおいて、少なくとも個々の商品単位又はグループ商品単位
で付与された商品コードと当該商品の梱包時に空間を専有する容積を示す個別の商品容積
パラメータと価格とが関連付けられた商品マスタと、配送資材のコード（配送コード）と
当該梱包資材の最大の梱包容積パラメータとが関連付けられた梱包資材マスタとを有して
おり、
前記サーバは、ネットワークを介してユーザ端末から商品コードがグループ提案商品と
して指定されたときに、前記梱包資材マスタから梱包資材の梱包容積パラメータを読み出
して、前記商品マスタから前記商品の商品容積パラメータを読み出して、前記梱包容積パ
ラメータから前記商品容積パラメータを減算して当該梱包資材における空き容量を算出し
て当該空き容量を視覚的に認識可能な図形データに変換してネットワークを介してユーザ
端末にダウンロード・表示させることによって、ユーザが提案したグループ商品が梱包資
材をどの程度専有するかを視覚的に把握可能としたグループ商品提案システム。
【発明の詳細な説明】
【技術分野】
【０００１】
本発明は、ネットワークを介して商品を購入するネットショッピングの商品購入技術に
関する。
【背景技術】
【０００２】
商店等の小売業のみならず、ネットショッピングにおいても、取扱い商品の多さゆえに
販売サイト側で全てのユーザのニーズを満たすように商品のカテゴリ分けを行うことは困
難である。
【０００３】
しかしながら、ユーザ側には、「子供の入学に向けて学習用品を揃えたい」、「カレー
ライスの材料を全て揃えて買いたい」というように購入目的に合わせて複数商品をまとめ
て簡単に購入したいというニーズがあり、このニーズを１つのサイトでワンストップで満
たすことは困難であった。
【０００４】
すなわち、小売販売サイトにおいて、より多くの商品を品揃えすればする程、ユーザは
選択が難しくなり結局、何を購入すればよいのかがわからず、目的に応じた商品購入に過
不足が生じてしまうことが多かった。
【０００５】
特に実際の商品を手にとってみることのできないネットショッピングでは、商品の機能
、商品の大きさ、質感等が不明であるために、目的別に必要とする商品の過不足が発生す
る確率が高かった。
【０００６】
この点について、ユーザ個々の曖昧な商品選択行動にマッチした柔軟性のある電子カタ
ログを生成する技術として特許文献１（特開２００２−１３３２９１）がある。
【０００７】
この技術では、ユーザにほぼ共通のイメージを抱かし得るイメージ画像を複数個レイア
ウトした主観イメージ分類画面をユーザインターフェースに表示して、ユーザによって選
択されたイメージ画像を特定し、該選択されたイメージ画像と一致しまたは類似のイメー
ジを持つ商品画像をデータベースからピックアップして電子カタログを生成して表示する
ものである。これによって、ユーザの好みに近い商品画像だけを含む電子カタログを生成
してユーザに提示でき、ユーザの購買意欲を高めてネットショッピングの普及を図るよう
になっている。
【０００８】
しかしこの特許文献１においても、ユーザのイメージに近い商品は選択できたとしても
、イメージ自体がわかない場合、たとえば入学や入社に際して何が必要かがわからないよ
うな場合には意味をなさない。
【特許文献１】特開２００２−１３３２９１号公報
【発明の開示】
【発明が解決しようとする課題】
【０００９】
本発明は、このような点に鑑みてなされたものであり、実際の商品を検証した提案者が
目的に応じた最適な商品の組み合わせ例（グループ商品）をユーザに対して示し、ユーザ
がグループ商品として購入できるようにするとともに、グループ商品が販売されたときに
それを提案した提案者にインセンティブを与えるようにし、ネットショッピングにおける
消費行動を活性化させる技術を提案することを第１の課題とする。
【００１０】
また、ネットショッピングにおいては、ユーザは商品だけではなく商品配送に係わるサ
ービスも合わせて購買されているといえる。すなわち、購入を決定した商品を梱包するた
めの費用や配送に係わる費用がこれにあたり、ネットの小売業者、購入者の何れかが該当
コストを負担している。ここでネット側の小売業者が負担する場合も、最終的には購入者
の購買価格に配送サービスに係わるコストが転嫁されている。ここで、配送サービスに係
わるコストは、配送小口数や配送用段ボールの才数で、変動するのが一般的であるが、従
来の商品購買行為においては、一定金額の購買額以上は、配送料無料といったサービスが
主流であったために、適切な配送コスト配賦がされていない状況にある。そこで、本発明
では、配送コストに直接影響する梱包状態を購入時にユーザに対してリアルタイムに伝え
ることで、購入者が適切なコスト負担を自ら選択できるようにすることが可能な技術を提
案することを第２の課題とする。
【課題を解決するための手段】
【００１１】
前記課題を解決するために、本発明では、以下の手段を採用した。本発明の請求項１は
、ネットワークを介したサーバのデータベースに登録された商品に基づいて生成された商
品リストをユーザ端末にダウンロード表示して購入操作を行う商品購入システムであって
、前記サーバのデータベースにおいて、少なくとも商品コードと価格が関連付けられた商
品マスタと、特定のユーザが任意に選択した商品群をグループ商品として登録するために
、個々の商品コードと、合計価格と、前記特定のユーザが商品群を構成する商品の選択を
完了したときに当該商品群に対して新たに付与される単一のグループ商品コードとが関連
付けられたグループ商品テーブルとを有しており、前記サーバは、前記グループ商品テー
ブルが生成されると、当該グループ商品テーブルからグループ商品コードを読み出して、
前記商品マスタの商品コードの１つとして前記グループ商品コードを登録して前記商品リ
ストに表示される商品コードとしてグループ商品の指定を可能とし、
前記サーバは、前記ユーザ端末よりネットワークを介して前記グループ商品コードが購
入商品として指定されたときは、前記グループ商品コードに対応付けられた個々の商品コ
ードを索出して当該商品コードに対して発注処理を行うグループ商品購入システムである
。
【００１２】
このシステムによれば、ユーザ（提案者）が自己の経験やセンスに基づいて購入目的に
あった商品群（商品グループ）を設定すれば、その後に同一購入目的で購入するユーザ（
購入者）は複数の商品を迷いながら１づつ購入するのではなく、１つの商品群として購入
することができ、極めて簡易に目的に見合った商品を購入することができる。
【００１３】
また、ネット小売業者は、カテゴリ分け、セット組作成等に係わる業務が軽減され、購
入ユーザも商品を探す手間（時間）が軽減される。
【００１４】
本発明の請求項２は、前記サーバは、グループ商品テーブルが生成されたときに、前記
商品コードの１つとして前記グループ商品コードをマスタに登録する際に、当該グループ
を構成する商品の商品コードを前記グループ商品コードと関連付けてマスタに登録する請
求項１記載のグループ商品購入システムである。
【００１５】
このように、グループを構成するひとまとまりの商品群に対して単一の商品コードをマ
スタに登録することによって、グループ商品を単一商品と同様にネット上のデータとして
扱うことができる。さらに、商品マスタにおいては、グループ商品を個々の商品の合計金
額ではなく、グループ商品として別の価格設定を行うことも可能となる。
【００１６】
本発明の請求項３は、前記商品マスタには商品コード毎に構成商品のカテゴリや関連語
がタギング情報として前記商品コードに関連付けられて登録されている請求項１または２
記載のグループ商品購入システムである。
【００１７】
このように商品またはグループ商品毎にカテゴリ（たとえば「文房具」）や関連語（た
とえば「新入社員」）を登録しておくことにより、後でこれらの語をキーワードにさらに
別のグループ商品の提案をしたり商品カテゴリの検索を容易にすることができる。
【００１８】
本発明の請求項４は、前記サーバのマスタには、前記グループ商品コードとともに、当
該グループ商品を提案した提案者を特定する提案者ＩＤが関連付けられいるとともに、
グループ商品コードに対応した販売実績データベースと、提案者ＩＤとポイントを関連
付けて管理する提案者データベースとを有しており、前記サーバは、前記販売実績データ
ベースを参照して、販売実績に応じて決定されたポイントを提案者データベースに追加登
録する請求項１記載のグループ商品購入システムである。
【００１９】
このように、セット組（グループ化）した商品群の販売数量や金額に応じて、セット作
成者（グループ提案者）に還元を行うことによって、ユーザの購入ニーズに適合した複数
のセットパターン（グループ商品）が継続的に作成されていくようになる。
【００２０】
本発明の請求項５は、ネットワークを介したサーバのデータベースに登録された商品に
基づいて生成された商品リストをユーザ端末にダウンロード表示して購入操作を行う商品
購入システムであって、前記サーバのデータベースにおいて、少なくとも商品コードと当
該商品の梱包時に空間を専有する容積を示す個別の商品容積パラメータと価格とが関連付
けられた商品マスタと、配送資材のコード（配送コード）と当該梱包資材の最大の梱包容
積パラメータとが関連付けられた梱包資材マスタとを有しており、前記サーバは、ネット
ワークを介してユーザ端末から商品コードが購入商品として指定されたときに、前記梱包
資材マスタから梱包資材の梱包容積パラメータを読み出して、前記商品マスタから前記購
入商品の商品容積パラメータを読み出して、前記梱包容積パラメータから前記商品容積パ
ラメータを減算して当該梱包資材における空き容量を算出して当該空き容量を視覚的に認
識可能な図形データに変換してネットワークを介してユーザ端末にダウンロード・表示さ
せる商品購入システムである。
【００２１】
このように、従来は、小売業者、購入者の双方でブラックボックス化していたがゆえに
ムダに発生していた配送コストや梱包資源を購入時にユーザに対してオープンに情報開示
することによって、ユーザに対して配送コストを考慮した商品選択が可能になるとともに
、梱包容積パラメータにしたがって当該容積を充填可能な別商品を提案することも可能と
なる。
【００２２】
本発明の請求項６は、前記サーバは、ネットワークを介してユーザ端末からさらに商品
コードが購入商品として追加指定されたときに、前記商品マスタから前記追加指定された
購入商品の商品容積パラメータを読み出して、前記で減算された梱包容積パラメータから
さらに当該追加商品の商品容積パラメータを減算して当該梱包資材における空き容量を算
出して当該空き容量を視覚的に認識可能な図形データに変換してネットワークを介してユ
ーザ端末にダウンロード・表示させる請求項５記載の商品購入システムである。
【００２３】
このように商品購入時に順次空き容量を視覚的にユーザに認識させることができるため
、梱包資材や配送コストを考慮した最適な商品個数や商品の組み合わせをユーザ自身が決
定することが可能となる。
【００２４】
本発明の請求項７は、ネットワークを介したサーバのデータベースに登録された商品に
基づいて生成された商品リストをグループ商品を提案するためのユーザ端末にダウンロー
ド表示させて商品選択操作を行わせるグループ商品選択システムであって、前記サーバの
データベースにおいて、少なくとも個々の商品単位又はグループ商品単位で付与された商
品コードと当該商品の梱包時に空間を専有する容積を示す個別の商品容積パラメータと価
格とが関連付けられた商品マスタと、配送資材のコード（配送コード）と当該梱包資材の
最大の梱包容積パラメータとが関連付けられた梱包資材マスタとを有しており、前記サー
バは、ネットワークを介してユーザ端末から商品コードがグループ提案商品として指定さ
れたときに、前記梱包資材マスタから梱包資材の梱包容積パラメータを読み出して、前記
商品マスタから前記商品の商品容積パラメータを読み出して、前記梱包容積パラメータか
ら前記商品容積パラメータを減算して当該梱包資材における空き容量を算出して当該空き
容量を視覚的に認識可能な図形データに変換してネットワークを介してユーザ端末にダウ
ンロード・表示させることによって、ユーザが提案したグループ商品が梱包資材をどの程
度専有するかを視覚的に把握可能としたグループ商品提案システムである。
【００２５】
このようにグループ商品の提案時においても梱包資材における空き容量を算出して当該
空き容量を視覚的に認識可能な図形データを表示させることによって、提案者自身が梱包
用資材の大きさを選択することが可能となり、たとえばデザイン化された梱包資材の提供
等も可能となる。
【発明の効果】
【００２６】
本発明によれば、実際の商品を検証した提案者が目的に応じた最適な商品の組み合わせ
例（グループ商品）をユーザに対して示し、ユーザがグループ商品として購入できるよう
になる。
【００２７】
また、配送コストに直接影響する梱包状態を購入時にユーザに対してリアルタイムに伝
えることで、購入者が適切なコスト負担を自ら選択できるようにすることができる。
【発明を実施するための最良の形態】
【００２８】
以下、本実施形態を図に基づいて説明する。図１は、本実施形態のシステム構成図であ
る。本システムは、ハードウエアとしてのサーバ、ネットワーク、ユーザ端末Ａ〜Ｃとか
らなる。ここで、ユーザ端末Ａ，Ｂはネットワーク接続可能なパーソナルコンピュータで
あり、ユーザ端末Ｃは中継局を介してネットワークと接続可能な携帯電話端末を用いるこ
とができる。また、サーバは外部にデータベース（ＤＢ）を有しているが、このデータベ
ース（ＤＢ）はネットワークに直接接続されたデータベースサーバであってもよい。
【００２９】
サーバは汎用の情報処理装置であり、中央処理装置（ＣＰＵ）を中心に、メインメモリ
（ＭＭ）、バス（ＢＵＳ）で接続されたハードディスク装置（ＨＤ）、入出力手段として
のキーボード（ＫＢＤ）、ディスプレイ装置（ＤＩＳＰ）等を有している。
【００３０】
ハードディスク装置（ＨＤ）にはオペレーティングシステム（ＯＳ）とともに、処理プ
ログラムが登録されており、当該処理プログラムがバス（ＢＵＳ）を介して中央処理装置
（ＣＰＵ）に順次読み込まれて実行処理されることによって、本実施形態のサーバとして
機能する。
【００３１】
また、データベース（ＤＢ）には、図３に示す商品マスタ、グループ商品テーブル、図
４に示す提案者マスタ、売上実績データベースを有している。
【００３２】
なお、図示は省略するが、ユーザ端末Ａ，Ｂはパーソナルコンピュータであり、前記サ
ーバと同様の構成を有している。
【００３３】
さらに、ユーザ端末Ｃとしては携帯電話端末を用いることができ、商品の購入や後述の
グループ商品の提案を携帯電話端末を介して行うことも可能である。
【００３４】
データベース（ＤＢ）のグループ商品テーブルには、グループに対して１つだけ付与さ
れる商品コードと、それを構成する商品個々のコードと、商品名称とそのグループの価格
とが関連付けられて登録されている。
【００３５】
このグループ商品テーブルは、提案者（ユーザＡ）が指定した商品が登録されるように
なっている。提案者（ユーザＡ）はたとえば新入生セットをグループ商品として提案する
場合、Ａ４ノート白と、ボールペンと、エンピツと、消しゴムとを自身の経験から最適な
組み合わせとしてそれを「Ａさんご推薦の入学セット」としてグループ商品登録すること
ができる。
【００３６】
このようにして生成されたグループ商品テーブルの内容は、そのまま順次商品マスタに
登録される。このときに商品マスタとしては、図６に示した項目に追加して、図１２に示
すように、当該商品または商品グループのカテゴリ（たとえば「文房具」やその商品・商
品グループの関連語（たとえば「新入社員」）等の語をタギング情報として登録してもよ
い。このように商品マスタにタギング情報を商品・商品グループに関連付けて登録してお
くことにより、カテゴリや関連語から当該商品または商品グループを容易に検索できるよ
うになる。また、新たな商品グループを提案する場合にも、提案者（ユーザ）は、その候
補商品・商品グループを容易に索出することが可能となる。
【００３７】
このようにして商品マスタに登録されたグループ商品には単一の商品コードが付与され
るとともに、それを構成する商品の個々の商品コードも関連付けられて登録される。この
とき、図４に示すように当該グループ商品を提案した提案者（ここではユーザＡ）の提案
者コードも関連付けて登録されるようになっている。
【００３８】
提案者マスタには、提案者コードと当該提案者とが関連付けられて登録されている。一
方、売上実績データベースには、商品コードと売上数量と売上金額とが関連付けられて登
録されている。
【００３９】
ここで、サーバの中央処理装置（ＣＰＵ）は集計プログラムにしたがって、商品マスタ
からグループ商品の売上数量と売上金額とを算出し、それを提案者毎に集計する。これに
よって提案者毎に提案したグループ商品がどの程度売り上げられたかを算出することがで
きる。このように提案されたグループ商品が実際に販売された場合には、その販売実績に
応じたインセンティブ（たとえば数パーセント）が提案者に還元されるようになっている
。この場合、図４に示した提案者マスタに還元金額が追加される（追加された状態は図示
されていない）。
【００４０】
図５は、サーバの中央処理装置によって生成されたユーザに対する表示画面の一例であ
る。このように、グループ商品の一覧と、それぞれの画像データと提案者の紹介とが表示
されるようになっている。
【００４１】
図６は、本実施形態において別の商品マスタの構成を示したものである。
【００４２】
この商品マスタには、商品コードと才数情報と商品名称と価格とが関係付けられて登録
するようになっている。
【００４３】
ここで、才数情報とは、商品容積に関するパラメータであり、具体的には当該商品の容
積率を示している。
【００４４】
一方、サーバには梱包資材マスタを有しており、配送コードと配送資材名と才数情報（
梱包容積パラメータ）とコスト（価格）とが関連付けられて登録されるようになっている
。たとえば才数情報(梱包容積パラメータ)が１０の段ボールには、個別の商品の才数情報
（商品容積パラメータ）の合計が１０になるまで商品を同梱できることを意味している。
したがって、商品マスタに基づいてユーザが商品を選択して購入していく段階で、たとえ
ば、サーバの中央処理装置（ＣＰＵ）が梱包資材マスタを参照することによって、購入希
望商品の合計才数が26で大きな梱包資材の才数の２５を越えてしまい２箱になってしまう
ことを当該ユーザに通知（表示）して１箱で購入できる組み合わせを提案することができ
る。
【００４５】
またユーザはこの才数を参照することによって、同じ本数であってもボールペンＡ（才
数５）を同等性能のボールペンＢ（才数４）に変更することで、１箱に同梱できるボール
ペンの本数を増やすことができ、実質的に梱包資材のコストを抑制してより安価に購入す
ることが可能となる。
【００４６】
このような商品マスタの才数情報は、前述のグループ商品の提案にも適用することがで
きる。
【００４７】
たとえば、図７に示すように、グループ商品の提案者（ユーザＡ）は、梱包資材マスタ
の配送用段ボールの容量（梱包容積パラメータ）を確認しながら商品マスタから商品を選
択する。また、このとき配送用段ボールのデザインを同時に選択してもよい。
【００４８】
なお、このとき提案者（ユーザＡ）は梱包資材（段ボール）の表面のデザイン画像を自
ら製作し、又はあらかじめサーバに用意されたテンプレートから選択してこれをデザイン
情報としてサーバに送信しておき、当該サーバは出荷サーバに対して段ボールの表面への
印刷を指示してオリジナルの段ボールを作成させて選択したグループ商品を同梱させても
よい。
【００４９】
図８〜図１１は、商品マスタと梱包資材マスタのそれぞれの才数情報（商品容積パラメ
ータと梱包容積パラメータ）に基づいてユーザに対して視覚的に認識可能な図形データに
変換している。具体的には、図８に示すように、段ボールの図形を表示し、その梱包状況
に応じて充填率に応じて段ボール図形の着色を変更している（たとえば７０％の充填率の
場合、段ボール図形の７０％だけ色彩を変更している）。
【００５０】
また図９〜図１０はユーザが選択した商品では複数梱包となる場合を提示し、最適な商
品選択となる選択肢をユーザに提示している。
【００５１】
さらに、図１１は梱包資材の梱包容積パラメータに基づいて当該段ボールの梱包容積パ
ラメータの数値となるまで商品マスタの商品を詰め放題として梱包資材のコストおよび配
送コストを抑制することができる。
【産業上の利用可能性】
【００５２】
本発明は、ネットショッピングに利用することができる。
【図面の簡単な説明】
【００５３】
【図１】本発明のシステム構成図。
【図２】サーバのハードウエア構成図。
【図３】商品マスタとグループ商品テーブルの内容を示す説明図。
【図４】商品マスタと提案者マスタと売上実績データベースの内容を示す説明図。
【図５】グループ商品を提案するユーザへの表示画面を示す図。
【図６】商品マスタと梱包資材マスタの内容を示す説明図。
【図７】グループ商品提案を行う場合の商品マスタと梱包資材マスタの内容を示す説明図。
【図８】同梱状況を視覚的に示すユーザへの表示画面を示す図。
【図９】同梱状況を視覚的に表示し別商品の提案を行うユーザへの表示画面を示す図。
【図１０】同梱状況を視覚的に表示し別商品の提案を行うユーザへの表示画面を示す図。
【図１１】詰め放題サービスを実施する場合のユーザへの表示画面を示す図。
【図１２】商品マスタへの追加情報としてタギング情報を登録する場合の説明図。
【図１】
2008165505.tif 000003
【図２】
2008165505.tif 000004
【図３】
2008165505.tif 000005
【図４】
2008165505.tif 000006
【図５】
2008165505.tif 000007
【図６】
2008165505.tif 000008
【図７】
2008165505.tif 000009
【図８】
2008165505.tif 000010
【図９】
2008165505.tif 000011
【図１０】
2008165505.tif 000012
【図１１】
2008165505.tif 000013
【図１２】
2008165505.tif 000014